(57)【要約】【課題】ユーザ側装置の配下に接続される端末の固有識別情報を上位システムにおいて管理することができる管理システム、センタ側装置、加入者側装置及び管理装置を提供する。【解決手段】本発明は、センタ側装置と１又は複数の加入者側装置とを備え、各加入者側装置の配下に存在する端末を管理する管理システムであり、センタ側装置と接続し、各加入者側装置の配下の接続状態を状態記憶手段で管理する管理手段と、各加入者側装置のインタフェース手段に接続される端末のリンク状態信号を通知するリンク状態通知手段と、リンク状態信号に基づいて各加入者側装置に接続される端末のリンク状態を監視する状態監視手段と、状態監視手段による所定の状態の検知を契機に、所定の状態に応じた状態イベント信号を管理手段に通知する状態イベント信号通知手段とを備え、管理手段が、状態イベント信号に応じて端末の固有識別情報を加入者側装置毎に管理する。【選択図】      図１
2011259063.tif 000002
【特許請求の範囲】
【請求項１】
センタ側装置と、上記センタ側装置に接続する１又は複数の加入者側装置とを備え、上記各加入者側装置の配下に存在する端末を管理する管理システムにおいて、
上記各加入者側装置の配下の接続状態を記憶する状態記憶手段と、
上記センタ側装置と接続されるものであり、上記各加入者側装置の配下の接続状態を上記状態記憶手段で管理する管理手段と、
上記各加入者側装置のインタフェース手段に接続される上記端末のリンク状態を示すリンク状態信号を通知するリンク状態通知手段と、
上記リンク状態通知手段からの上記リンク状態信号に基づいて、上記各加入者側装置に接続される上記端末のリンク状態を監視する状態監視手段と、
上記状態監視手段による所定の状態の検知を契機に、上記所定の状態に応じた状態イベント信号を上記管理手段に通知する状態イベント信号通知手段と
を備え、
上記管理手段が、上記状態イベント信号通知手段からの上記状態イベント信号に応じて、上記加入者側装置に接続する上記端末の固有識別情報を上記加入者側装置毎に管理するものであることを特徴とする管理システム。
【請求項２】
上記状態イベント信号通知手段は、上記状態監視手段が上記各加入者側装置の上記インタフェース手段のリンクアップを検知すると、当該加入者側装置の接続状態を上記管理手段に管理させるイベント信号を通知し、
上記管理手段が、上記加入者側装置の固有識別情報と、当該加入者側装置に接続する上記端末の固有識別情報とを上記加入者側装置から取得し、当該加入者側装置の固有識別情報と当該端末の固有識別情報とを対応付けて上記状態記憶手段に記憶する
ことを特徴とする請求項１に記載の管理システム。
【請求項３】
上記各加入者側装置は、上記管理手段からの要求に応じて、自身の上記インタフェース手段に接続する上記端末の固有識別情報を管理する管理テーブルに含まれる情報を、上記センタ側装置を介して、上記管理手段に与えるものであることを特徴とする請求項２に記載の管理システム。
【請求項４】
上記状態イベント信号通知手段は、上記状態監視手段が上記各加入者側装置の上記インタフェース手段のリンクダウンを検知すると、当該加入者側装置に接続していた上記端末の登録を解除させるイベント信号を通知し、
上記管理手段が、上記状態記憶手段に記憶される上記加入者側装置に対応付けられている上記端末の登録を解除する
ことを特徴とする請求項１〜３のいずれかに記載の管理システム。
【請求項５】
上記センタ側装置と上記各加入者側装置との接続状態、又は、上記各加入者側装置の設置を管理するシステム管理手段を備え、
上記状態イベント信号通知手段は、上記状態監視手段が上記システム管理手段から上記各加入者側装置の接続断を示す信号を通知すると、上記加入者側装置及び上記端末の登録を解除させるイベント信号を通知し、
上記管理手段が、上記状態記憶手段に記憶される上記加入者側装置及び上記端末の登録を解除する
ことを特徴とする請求項１〜４のいずれかに記載の管理システム。
【請求項６】
センタ側装置と、上記センタ側装置に接続する１又は複数の加入者側装置とを備え、上記各加入者側装置の配下に存在する端末の状態を、管理手段で管理する管理システムを構成する上記センタ側装置において、
上記各加入者側装置が備えるリンク状態通知手段から上記各加入者側装置のリンク状態を示すリンク状態信号に基づいて、上記各加入者側装置に接続される上記端末のリンク状態を監視する状態監視手段と、
上記状態監視手段による所定の状態の検知を契機に、上記所定の状態に応じた状態イベント信号を上記管理手段に通知する状態イベント信号通知手段と
を備えることを特徴とするセンタ側装置。
【請求項７】
センタ側装置と、上記センタ側装置に接続する１又は複数の加入者側装置とを備え、上記各加入者側装置の配下に存在する端末の状態を、上記センタ側装置に接続する管理手段で管理する管理システムを構成する上記加入者側装置において、
上記端末と接続するインタフェース手段と、
上記インタフェース手段に接続する上記端末の固有識別情報を管理する固有識別情報管理手段と、
上記インタフェース手段に接続される上記端末のリンク状態を示すリンク状態信号を通知するリンク状態通知手段と
を備え、
上記固有識別情報管理手段が、上記管理手段からの要求に応じて、自身の上記インタフェース手段に接続する上記端末の固有識別情報を管理する管理テーブルに含まれる情報を、上記センタ側装置を介して、上記管理手段に与えることを特徴とする加入者側装置。
【請求項８】
センタ側装置と、上記センタ側装置に接続する１又は複数の加入者側装置とを備え、上記各加入者側装置の配下に存在する端末を管理する管理装置において、
上記各加入者側装置の配下の接続状態を記憶する状態記憶手段と、
上記センタ側装置と接続されるものであり、上記各加入者側装置の配下の接続状態を上記状態記憶手段で管理する管理手段と
を備え、
上記管理手段が、上記加入者側装置に接続される上記端末のリンク状態が所定の状態であるときに、上記センタ側装置の状態イベント信号通知手段から受け取った上記状態イベント信号に応じて、上記加入者側装置に接続する上記端末の固有識別情報を上記加入者側装置毎に管理するものであることを特徴とする管理装置。
【発明の詳細な説明】
【技術分野】
【０００１】
本発明は、管理システム、センタ側装置、加入者側装置及び管理装置に関し、例えば、通信システムにおいて、加入者側装置に接続されるネットワーク機器の固有識別情報を、センタ側装置が取得して管理する管理システム、センタ側装置、加入者側装置及び管理装置に適用し得るものである。
【背景技術】
【０００２】
近年、通信システム技術の進展に伴い、ユーザは、例えば光ファイバや広帯域回線を用いたアクセス網を利用してネットワークと接続することができ、高速かつ広帯域な通信サービスの提供を受けることができる。
【０００３】
図２は、従来の通信システムの構成例を示す構成図である。図２では、コアネットワークＮＴと接続するセンタ側が、複数のユーザ側とアクセス網を形成した通信システムの構成例を示す。
【０００４】
センタ側は、エッジルータやＬ２ＳＷ等のネットワーク装置９３を介して、コアネットワークＮＴと接続するＯＬＴ（Optical  Line  Terminal：回線終端装置）９１を備える。
【０００５】
ＯＬＴ９１は、複数のユーザ側とアクセス可能とするために、スプリッタ９９を介して、例えば光ファイバにより複数のユーザ側のＤ−ＯＮＵ（データ通信用Optical  Network  Unit：加入者側終端装置）９４と接続する。
【０００６】
ユーザ側において、Ｄ−ＯＮＵ９４が、その配下に、１又は複数のネットワーク機器（単に、端末ともいう）と接続することができる。図２では、Ｄ−ＯＮＵ９４と接続するネットワーク機器の一例として、ＩＰ電話機９８と接続するＶｏＩＰ−ＴＡ９５、パーソナルコンピュータ（ＰＣ）９６、告知端末９７を示す。
【０００７】
Ｄ−ＯＮＵ９４は、配下に接続するネットワーク機器からの受け取った情報を光信号に変換してＯＬＴ９１に伝送したり、ＯＬＴ９１から受け取った光信号を電気信号に変換し、受信した情報を送信先のネットワーク機器に与える。
【０００８】
従来、Ｄ−ＯＮＵ９４は、接続ポートを介してネットワーク機器と接続しており、ネットワーク機器からフレームを受信すると、その受信した接続ポート番号と、フレームに含まれるネットワーク機器のＭＡＣアドレスとを対応付けて管理することで、各ネットワーク機器の情報伝達を実現することができる（特許文献１及び２参照）。
【先行技術文献】
【特許文献】
【０００９】
【特許文献１】特開２００６−２０３７８９号公報
【特許文献２】特開２００８−０５４０８６号公報
【発明の概要】
【発明が解決しようとする課題】
【００１０】
しかしながら、従来の場合、ユーザ側のＤ−ＯＮＵが、配下の各ネットワーク機器のＭＡＣアドレスを学習して管理しているが、センタ側は、Ｄ−ＯＮＵに接続するネットワーク機器のＭＡＣアドレスを管理していない。そのため、センタ側が、各ユーザ側のＤ−ＯＮＵにどのネットワーク機器が接続されているかを認識することができなかった。
【００１１】
例えば、ユーザが、０ＡＢ〜Ｊ電話サービスの提供を受ける場合を例示して説明する。図２において、ユーザが０ＡＢ〜Ｊ電話サービスの提供を受ける場合、Ｄ−ＯＮＵ９４の配下に、０ＡＢ〜Ｊ電話サービスを実施するＶｏＩＰ−ＴＡ９５が接続される。
【００１２】
０ＡＢ〜Ｊ電話サービスを行う方式は、例えば特許文献１及び特許文献２の記載される技術を適用することができる。ＶｏＩＰ−ＴＡ９５は、ＩＰ電話機９８のＭＡＣアドレスと接続ポートとを対応付けて保持し、ネットワーク上のアドレス払い出し装置（例えば、ＤＨＣＰ等）によりＩＰアドレスが払い出される。そして、ネットワーク上のサーバが、電話番号（０ＡＢ〜Ｊ）とＩＰアドレスとを対応付けて管理することで、当該電話番号（０ＡＢ〜Ｊ）のＩＰ電話機９８の位置を特定して電話サービスを提供する。
【００１３】
しかし、センタ側は、Ｄ−ＯＮＵ９４に接続しているＶｏＩＰ−ＴＡ９５を認識することができない。そのため、例えば、Ｄ−ＯＮＵ９４に別のＶｏＩＰ−ＴＡ９５を接続したり又は交換するよう場合、センタ側が、Ｄ−ＯＮＵ９４に接続するネットワーク機器を管理していないから、それまで提供していた電話サービスを提供できない場合が生じ得る。
【００１４】
例えば、ユーザが横浜の市外局番の電話番号（０４５−ＸＸＸ−ＸＸＸＸ）で使用していたＶｏＩＰ−ＴＡ９５を、同じＯＬＴ９１に接続する東京（０３−ＸＸＸＸ−ＸＸＸＸ）のＤ−ＯＮＵに接続して使用した場合、ネットワーク上に接続された場合に横浜の電話番号体系で接続されてしまう可能性があるということになり、０ＡＢ〜Ｊ電話サービスとしては位置特定ができないため、サービスが成り立たない場合がある。
【００１５】
そこで、本発明は、ユーザ側装置の配下に接続されるネットワーク機器の固有識別情報を上位システムにおいて管理することができる管理システム、センタ側装置、加入者側装置及び管理装置を提供する。
【課題を解決するための手段】
【００１６】
かかる課題を解決するために、第１の本発明の管理システムは、センタ側装置と、センタ側装置に接続する１又は複数の加入者側装置とを備え、各加入者側装置の配下に存在する端末を管理する管理システムにおいて、（１）各加入者側装置の配下の接続状態を記憶する状態記憶手段と、（２）センタ側装置と接続されるものであり、各加入者側装置の配下の接続状態を状態記憶手段で管理する管理手段と、（３）各加入者側装置のインタフェース手段に接続される端末のリンク状態を示すリンク状態信号を通知するリンク状態通知手段と、（４）リンク状態通知手段からのリンク状態信号に基づいて、各加入者側装置に接続される端末のリンク状態を監視する状態監視手段と、（５）状態監視手段による所定の状態の検知を契機に、所定の状態に応じた状態イベント信号を管理手段に通知する状態イベント信号通知手段とを備え、管理手段が、状態イベント信号通知手段からの状態イベント信号に応じて、加入者側装置に接続する端末の固有識別情報を加入者側装置毎に管理するものであることを特徴とする。
【００１７】
第２の本発明のセンタ側装置は、センタ側装置と、センタ側装置に接続する１又は複数の加入者側装置とを備え、各加入者側装置の配下に存在する端末の状態を、管理手段で管理する管理システムを構成するセンタ側装置において、（１）各加入者側装置が備えるリンク状態通知手段から各加入者側装置のリンク状態を示すリンク状態信号に基づいて、各加入者側装置に接続される端末のリンク状態を監視する状態監視手段と、（２）状態監視手段による所定の状態の検知を契機に、所定の状態に応じた状態イベント信号を管理手段に通知する状態イベント信号通知手段とを備えることを特徴とする。
【００１８】
第３の本発明の加入者側装置は、センタ側装置と、センタ側装置に接続する１又は複数の加入者側装置とを備え、各加入者側装置の配下に存在する端末の状態を、センタ側装置に接続する管理手段で管理する管理システムを構成する加入者側装置において、（１）端末と接続するインタフェース手段と、（２）インタフェース手段に接続する端末の固有識別情報を管理する固有識別情報管理手段と、（３）インタフェース手段に接続される端末のリンク状態を示すリンク状態信号を通知するリンク状態通知手段とを備え、固有識別情報管理手段が、管理手段からの要求に応じて、自身が管理する固有識別情報を管理する管理テーブルに含まれる情報を、センタ側装置を介して、管理手段に与えることを特徴とする。
【００１９】
第４の本発明の管理装置は、センタ側装置と、センタ側装置に接続する１又は複数の加入者側装置とを備え、各加入者側装置の配下に存在する端末を管理する管理装置において、（１）各加入者側装置の配下の接続状態を記憶する状態記憶手段と、（２）センタ側装置と接続されるものであり、各加入者側装置の配下の接続状態を状態記憶手段で管理する管理手段とを備え、管理手段が、加入者側装置に接続される端末のリンク状態が所定の状態であるときに、センタ側装置の状態イベント信号通知手段から受け取った状態イベント信号に応じて、加入者側装置に接続する端末の固有識別情報を加入者側装置毎に管理するものであることを特徴とする。
【発明の効果】
【００２０】
本発明によれば、現行システムの大幅な変更をすることなく、通信システムの加入者側に設置される通信装置に接続されるネットワーク機器の固有識別情報を、上位システムで管理させることができるので、上位システムが各通信装置に接続されるネットワーク機器の位置を特定することができる。
【図面の簡単な説明】
【００２１】
【図１】実施形態の通信システムの全体構成を示す全体構成図である。
【図２】従来の通信システムの全体構成を示す全体構成図である。
【図３】実施形態の加入者側装置の内部構成を示す内部構成図である。
【図４】実施形態のセンタ側装置の内部構成を示す内部構成図である。
【図５】実施形態の管理サーバの内部構成を示す内部構成図である。
【図６】実施形態において管理サーバに加入者側装置及びＶｏＩＰ−ＴＡのＭＡＣアドレスを登録する処理を説明する説明図である。
【図７】実施形態において状態イベント信号のフォーマット例を説明する説明図である。
【図８】実施形態において管理サーバが管理するＶｏＩＰ−ＴＡのＭＡＣアドレスの登録を解除する処理を説明する説明図である。
【図９】実施形態において管理サーバが管理する加入者側装置及びＶｏＩＰ−ＴＡのＭＡＣアドレスの登録を解除する処理を説明する説明図である。
【発明を実施するための形態】
【００２２】
（Ａ）主たる実施形態
以下、本発明の管理システム、センタ側装置、加入者側装置及び管理装置の実施形態を、図面を参照しながら説明する。
【００２３】
この実施形態では、ユーザのネットワークへのアクセス方式に光アクセス方式を採用した通信システムに本発明を適用した場合の実施形態を例示する。
【００２４】
アクセス方式は、特に限定されるものではなく、光アクセス方式や広帯域回線によるアクセス方式など広く適用することができる。また、この実施形態で例示する光アクセス方式も、特に限定されるものではなく、例えばＧＥ−ＰＯＮ（Gigabit  Ethernet  Passive  Optical  Network）方式等を広く適用することができる。
【００２５】
（Ａ−１）実施形態の構成
（Ａ−１−１）全体構成
図１は、この実施形態の通信システムの構成例を示す構成図である。図１において、実施形態の通信システム１０は、加入者側装置１、ＶｏＩＰ−ＴＡ２、センタ側装置３、管理サーバ４、合分波器５、ＩＰ電話機６を少なくとも有して構成される。
【００２６】
加入者側装置１は、加入者側（例えば、加入者の自宅、事務所等）に設置され、対向するセンタ側装置３との間で双方向でデータ伝達を行う通信装置である。加入者側装置１は、例えば、データ通信用の回線終端装置（Ｄ−ＯＮＵ）を適用することができる。また、加入者側装置１は、ＵＮＩを介して、１又は複数のネットワーク機器（単に、端末ともいう）と接続するものである。図１では、ネットワーク機器の一例として、ＶｏＩＰ−ＴＡ２と接続する場合を示す。
【００２７】
ＶｏＩＰ−ＴＡ２は、接続するＩＰ電話機６に対して電話サービスを提供するターミナルアダプタである。ＶｏＩＰ−ＴＡ２は、例えば１０／１００／１０００  ＢＡＳＥ−ＴなどのＵＮＩ（ユーザネットワークインタフェース）で、加入者側装置１と接続されるものである。
【００２８】
センタ側装置３は、センタ側に設置される通信装置である。センタ側装置３は、合分波器５を介して、光ファイバにより複数のユーザの加入者側装置１と接続可能なものであり、例えば、センタ局側の回線終端装置（ＯＬＴ）を適用することができる。
【００２９】
また、センタ側装置３は、管理サーバ４と接続する。センタ側装置３は、各ユーザ側の加入者側装置１の状態を監視し、状態に応じたイベント情報を管理サーバ４に通知するものである。
【００３０】
管理サーバ４は、センタ側装置３からイベント情報を受け取ると、センタ側装置３から各加入者側装置１の接続状態を管理するものである。すなわち、管理サーバ４は、各加入者側装置１に接続するネットワーク機器の固有識別情報を、加入者側装置の固有識別情報毎に管理する。
【００３１】
ここで、固有識別情報とは、端末や機器等の装置を一意に識別する識別情報であり、例えば、ＭＡＣアドレス、シリアル番号等を適用することができる。この実施形態では、固有識別情報の一例としてＭＡＣアドレスを適用する。
【００３２】
なお、図１では、１台のセンタ側装置３と接続する場合を例示するが、複数台のセンタ側装置３と接続するようにしてもよい。これにより、複数のセンタ側装置３のそれぞれが通信する各加入者側装置１の接続状態を管理することができる。
【００３３】
（Ａ−１−２）加入者側装置１の内部構成
図３は、加入者側装置１の内部構成を示す内部構成図である。図３において、加入者側装置１は、ユーザ側インタフェース部１１、転送処理部１２、ＭＡＣアドレス管理部１３、リンク状態通知部１４、光−電気変換部１５、センタ側インタフェース部１６を少なくとも有する。
【００３４】
ユーザ側インタフェース部１１は、ＶｏＩＰ−ＴＡ２等のネットワーク機器を接続するインタフェース部である。ユーザ側インタフェース部１１には、複数の接続ポートが設けられており、接続ポートを介してＶｏＩＰ−ＴＡ２と接続する。ユーザ側インタフェース部１１は、接続ポートに接続されたＶｏＩＰ−ＴＡ２との間でデータの授受を行う。
【００３５】
転送処理部１２は、ユーザ側インタフェース部１１又はセンタ側インタフェース部１６から受け取ったフレームの転送処理を行うものである。転送処理部１２は、センタ側インタフェース部１６からフレームを受け取ると、ＭＡＣアドレス管理部１３を参照してフレームの送信先に対応する接続ポートにフレームを中継する。
【００３６】
ＭＡＣアドレス管理部１３は、ユーザ側インタフェース部１１を介して接続するＶｏＩＰ−ＴＡ２のＭＡＣアドレスを管理するものである。ＭＡＣアドレス管理部１３によるＶｏＩＰ−ＴＡ２のＭＡＣアドレスの管理方法は、種々の既存の方法を適用することができる。例えば、ＭＡＣアドレス管理部１３は、ＶｏＩＰ−ＴＡ２から通信フレームを受信すると、その受信した接続ポートと当該通信フレームに含まれているＭＡＣアドレスとを対応付けてＭＡＣ学習読出テーブルとして管理する。これにより、ＶｏＩＰ−ＴＡ２のＭＡＣアドレスを学習することができる。
【００３７】
リンク状態通知部１４は、ＶｏＩＰ−ＴＡ２が接続されるユーザ側インタフェース部１１の接続ポートのリンク状態を示す信号をセンタ側装置３に通知するものである。リンク状態通知部１４は、ＶｏＩＰ−ＴＡ２が接続ポートに接続されるとリンクアップを示すＵＩ−ＬＩＮＫアップを通知し、接続ポートからＶｏＩＰ−ＴＡ２が取り外されるとリンクダウンを示すＵＩ−ＬＩＮＫダウンを通知する。
【００３８】
光−電気変換部１５は、センタ側インタフェース部１６から入力された光信号を電気信号に変換したり、転送処理部１２からの電気信号を光信号に変換したりするものである。
【００３９】
センタ側インタフェース部１６は、センタ側装置３との間の接続回線（例えば光ファイバ等）を接続するインタフェース部である。センタ側インタフェース部１６は、光−電気変換部１５により変換された光信号をセンタ側に向けて送信したり、又はセンタ側から入力された光信号を光−電気変換部１５に与えたりするものである。
【００４０】
（Ａ−１−３）センタ側装置３の内部構成
図４は、センタ側装置３の内部構成を示す内部構成図である。図４において、センタ側装置３は、加入者側インタフェース部３１、光−電気変換部３２、転送処理部３３、ユーザ側状態監視部３４、ユーザ側状態イベント通知部３５、サーバ側インタフェース部３６、ＮＴ側インタフェース部３７を少なくとも有する。
【００４１】
加入者側インタフェース部３１は、加入者側装置１との間の接続回線を接続するものである。加入者側インタフェース部３１は、加入者側から入力された光信号を光−電気変換部３２に与えたり、又は光−電気変換部３２から受け取った光信号を加入者側に送信したりするものである。
【００４２】
光−電気変換部３２は、加入者側インタフェース部３１から入力された光信号を電気信号に変換したり、又は転送処理部３３からの受け取った信号を光信号に変換したりするものである。
【００４３】
転送処理部３３は、加入者側インタフェース部３１又はＮＴ側インタフェース部３７から受け取った信号の転送処理を行うものである。転送処理部３３は、光−電気変換部３２からの光信号を電気信号にして、システム状態を示す信号である場合には、当該信号をユーザ側状態監視部３４に与える。転送処理部３３は、例えば、受信信号に含まれる識別情報に基づいて、システム状態を示す信号か否かを判断するようにしてもよい。
【００４４】
例えば、システム状態を示す信号としては、加入者側装置１からリンク状態を示す信号がある。システム状態を示す信号は、これ以外にも、加入者装置１自体のリンク状態（例えば、リンクアップ又はリンクダウン）を示す信号、加入者装置１の登録を要求する信号や交換（変更）を示す信号や閉塞解除を示す信号、加入者装置１の正常性を試験したとき信号、図１に例示していないが、通信システム１０上のネットワーク（例えばＰＯＮなど）の障害監視装置からの監視結果を示す信号、センタ側装置３のインタフェース部（加入者側インタフェース部３１、ＮＴ側インタフェース部３７）の設定、リセット、故障等の状態を示す信号等を適用するようにしてもよい。
【００４５】
ユーザ側状態監視部３４は、転送処理部３３からシステム状態を示す信号を受け取り、このシステム状態を示す信号に基づいて、ユーザ側の状態を監視するものである。また、ユーザ側状態監視部３４は、監視結果としてユーザ側の状態をユーザ側状態イベント通知部３５に与える。
【００４６】
ユーザ側状態監視部３４は、転送処理部３３から受け取るシステム状態を示す信号の種類に応じて認識する対象が異なるが、例えば、加入者側装置１からリンク状態を示す信号を受け取る場合には、当該信号に基づいて、当該加入者側装置１の接続ポートがリンクアップである又はリンクダウンであることを検知する。
【００４７】
ユーザ側状態イベント通知部３５は、ユーザ側状態監視部３４からユーザ側の状態を受け取ると、ユーザ側状態監視部３４による所定の状態の検知を契機に、その状態に応じた状態イベント信号をサーバ側インタフェース部３６に与えて、管理サーバ４に通知するものである。
【００４８】
例えば、ユーザ側状態イベント通知部３５が通知する状態イベント信号としては、ＵＩステータスＥｎａｂｌｅイベント、ＵＩステータスＤｉｓａｂｌｅイベント、ＵＩステータスｃｌｅａｒイベントがある。
【００４９】
ＵＩステータスＥｎａｂｌｅイベントは、加入者側装置１の接続状態を管理サーバ４に管理させるイベントである。ＵＩステータスＥｎａｂｌｅイベントは、例えば、加入者側装置１の接続ポートがリンクアップや加入者側装置１の新規登録又は交換（変更）等の場合に、当該加入者側装置１のＭＡＣ学習テーブルを管理サーバ４に管理させるために、管理サーバ４に通知されるものである。
【００５０】
ＵＩステータスＤｉｓａｂｌｅイベントは、管理サーバ４が管理している加入者側装置１に接続するネットワーク機器のＭＡＣアドレスを削除させるイベントである。ＵＩステータスＤｉｓａｂｌｅイベントは、例えば、加入者側装置１の接続ポートのリンクダウンや加入者側装置１の取り外しなどの場合に、加入者側装置１のＭＡＣアドレスを保持しながら、接続するネットワーク機器のＭＡＣアドレスのみを削除するために、管理サーバ４に通知されるものである。
【００５１】
ＵＩステータスｃｌｅａｒイベントは、管理サーバ４が管理している加入者側装置１の情報をクリアにさせるイベントである。ＵＩステータスｃｌｅａｒイベントは、加入者側装置１のＭＡＣアドレスと、これに接続するネットワーク機器のＭＡＣアドレスとを削除するために、管理サーバ４に通知されるものである。
【００５２】
サーバ側インタフェース部３６は、管理サーバ４との間で情報を授受するインタフェース部である。
【００５３】
ＮＴ側インタフェース部３７は、コアネットワークＮＴとの間で情報を授受するインタフェース部である。
【００５４】
（Ａ−１−４）管理サーバ４の内部構成
図５は、管理サーバ４の内部構成を示す内部構成図である。図５において、管理サーバ４は、センタ側インタフェース部４１、ユーザ側状態イベント解析部４２、ユーザ側状態データ管理部４３、ユーザ側状態データ取得部４４、ユーザ側状態データ記憶部４５を少なくとも有する。
【００５５】
センタ側インタフェース部４１は、センタ側装置３との間で情報を授受するインタフェース部である。
【００５６】
ユーザ側状態イベント解析部４２は、センタ側装置３から受け取った状態イベント信号の内容を解析して、その解析結果をユーザ側状態データ管理部４３に与えるものである。
【００５７】
ユーザ側状態データ管理部４３は、ユーザ側状態イベント解析部４２から状態イベント信号の解析結果を受け取り、その解析結果に基づいて、ユーザ側の加入者装置１の接続状態を管理するものである。
【００５８】
ユーザ側状態データ管理部４３は、ＵＩステータスＥｎａｂｌｅイベントを受け取った場合、当該イベントで指定される加入者側装置１が管理するＭＡＣ学習テーブルを取得することを、ユーザ側状態データ取得部４４に指示する。そして、ユーザ側状態データ取得部４４により当該加入者側装置１のＭＡＣ学習テーブルが取得されると、ユーザ側状態データ管理部４３は、加入者側装置１のＭＡＣ学習テーブルをユーザ側状態データ記憶部４５に記憶する。
【００５９】
また、ユーザ側状態データ管理部４３は、ＵＩステータスＤｉｓａｂｌｅイベントを受け取った場合、ＵＩステータスＤｉｓａｂｌｅイベントで指示された加入者側装置１について、ネットワーク機器のＭＡＣアドレスを削除する。
【００６０】
さらに、ユーザ側状態データ管理部４３は、ＵＩステータスｃｌｅａｒイベントを受け取った場合、ＵＩステータスｃｌｅａｒイベントで指示された加入者側装置１及びネットワーク機器のＭＡＣアドレスを削除する。
【００６１】
ユーザ側状態データ取得部４４は、ユーザ側状態管理部４３からの指示を受けて、指示された加入者側装置１のＭＡＣ学習テーブルを、センタ側装置３を通じて取得するものである。
【００６２】
ユーザ側状態データ記憶部４５は、ユーザ側状態データ管理部４３の制御により、ユーザ側に設置された加入者側装置１の接続状態を記憶する記憶領域である。
【００６３】
（Ａ−２）実施形態の動作
次に、この実施形態の通信システム１０において、センタ側が加入者側装置１の接続状態を管理する処理の動作を図面を参照しながら説明する。
【００６４】
以下では、加入者側装置１に接続するネットワーク機器がＶｏＩＰ−ＴＡ２である場合を例示する。
【００６５】
（Ａ−２−１）加入者側装置１及びＶｏＩＰ−ＴＡ２の登録処理
図６は、管理サーバ４が加入者側装置１及びＶｏＩＰ−ＴＡ２のＭＡＣアドレスを登録する処理を説明する説明図である。
【００６６】
まず、ユーザ側において、加入者側装置１のユーザ側インタフェース部１１の接続ポートにＶｏＩＰ−ＴＡ２が接続される（ステップＳ１０１）。
【００６７】
加入者側装置１において、ＶｏＩＰ−ＴＡ２が接続されて接続ポートがリンクアップすると、リンク状態通知部１４が、リンク状態を示す信号として、接続ポートのリンクアップを示すＵＩ−ＬＩＮＫアップをセンタ側装置３に通知する（ステップＳ１０２）。
【００６８】
このとき、リンク状態通知部１４からのＵＩ−ＬＩＮＫアップは、光−電気変換部１５により光信号に変換されてセンタ側インタフェース部１６を介してセンタ側装置３に通知される。
【００６９】
ここで、加入者側装置１は、ユーザ側インタフェース部１１にＶｏＩＰ−ＴＡ２が接続されてポートがリンクアップすると、ＶｏＩＰ−ＴＡ２から通信フレームが流れる。加入者側装置１では、ＭＡＣアドレス管理部１３が通信フレームに含まれるＶｏＩＰ−ＴＡ２のＭＡＣアドレスとポート番号とを対応付けて管理する。これにより、加入者側装置１において、接続するＶｏＩＰ−ＴＡ２のＭＡＣアドレスを学習することができる。ＵＩ−ＬＩＮＫアップには、少なくとも加入者側装置１のＭＡＣアドレスを含むようにする。
【００７０】
センタ側装置３において、加入者側装置１からリンク状態を示す信号が与えられる。このとき、加入者側装置１からの信号は、加入者インタフェース部３１を介して入力され、光−電気変換部３２により電気信号に変換されて、転送処理部３３に与えられる。転送処理部３３は、受け取った信号を解析して、加入者側装置１のリンク状態を示す信号であると判断すると、当該信号をユーザ側状態監視部３４に与える。
【００７１】
ユーザ側状態監視部３４は、転送処理部３３からリンク状態を示す信号を受け取り、当該信号がＵＩ−ＬＩＮＫアップであることを検知する。ユーザ側状態イベント通知部３５は、ＵＩ−ＬＩＮＫアップの検知を契機に、状態イベント信号としてＵＩステータスＥｎａｂｌｅイベントを管理サーバ４に通知する（ステップＳ１０３）。
【００７２】
ここで、図７は、状態イベント信号のフォーマット例を説明する説明図である。図７において、状態イベント信号は、「ＴＲＡＰ−ＩＤ」、「時刻」、「ＳｙｓＮａｍｅ」、「ＩＦ番号」、「ＯＮＵ番号」、「ＯＮＵ−ＭＡＣ」、「ステータス」を少なくとも有する。
【００７３】
「ＴＲＡＰ−ＩＤ」は、状態イベント信号（ＵＩステータスイベント）であることを示す識別情報である。例えば、「1.3.6.1.4.1.666.90.14.1.0.52」等のように番号を用いることができる。「時刻」は、状態の発生時刻を示す。「ＳｙｓＮａｍｅ」は、センタ側装置３が属するシステム名称を示す。
【００７４】
「ＩＦ番号」は、センタ側装置３が加入者側装置１を接続するインタフェース番号である。「ＯＮＵ番号」は、加入者側装置を示す識別番号である。「ＯＮＵ−ＭＡＣ」は、加入者側装置１のＭＡＣアドレスである。
【００７５】
「ステータス」は、イベント状態を示す。例えば、ＵＩステータスＥｎａｂｌｅイベント、ＵＩステータスＤｉｓａｂｌｅイベント、ＵＩステータスｃｌｅａｒイベントの別を示す。この場合、「ステータス」には、ＵＩステータスＥｎａｂｌｅイベントであることが記載される。
【００７６】
管理サーバ４は、センタ側装置３から状態イベント信号を受け取ると、ユーザ側状態イベント解析部４２が、当該状態イベント信号の内容を解析して、ユーザ側状態データ管理部４３に解析結果を与える。
【００７７】
ユーザ側状態データ管理部４３は、ＵＩステータスＥｎａｂｌｅイベントであることを判断すると、ＭＡＣ学習読出コマンドを実施し、ユーザ側状態データ取得部４４に対して、加入者側装置１が管理するＭＡＣアドレス学習テーブルの内容を取得するように指示する。
【００７８】
これを受けて、ユーザ側状態データ取得部４４は、センタ側装置３を通じて、加入者側装置１のＭＡＣ学習テーブルを取得する（ステップＳ１０４）。
【００７９】
加入者側装置１のＭＡＣ学習テーブルの取得方法は、種々の方法を適用することができる。例えば、ユーザ側状態データ取得部４４は、ＵＩステータスＥｎａｂｌｅイベントに含まれているＯＮＵ−ＭＡＣを送信先とするＭＡＣ学習テーブルの取得要求を送信する。ＭＡＣ学習テーブルの取得要求は、センタ側装置３を介して、加入者側装置１に与えられる。加入者側装置１は、ＭＡＣ学習テーブルの取得要求を受け取ると、自装置１が管理しているＭＡＣ学習テーブルの内容を含むデータを、センタ側装置３に送信する。センタ側装置３は、加入者側装置１からのＭＡＣ学習テーブルの内容を含むデータを管理サーバ４に送信する。このようにして、加入者側装置１のＭＡＣ学習テーブルの内容を取得することができる。
【００８０】
ユーザ側状態データ管理部４３は、ユーザ側状態データ取得部４４から加入者側装置１のＭＡＣ学習テーブルの内容を含むデータに基づいて、当該加入者側装置１の接続状態を示す情報をユーザ側状態データ記憶部４５に記憶する（ステップＳ１０５）。これにより、加入者装置１のＭＡＣアドレスと、これに接続するＶｏＩＰ−ＴＡ２のＭＡＣアドレスとを対応付けて管理することができ、加入者装置１に接続する機器の位置を認識することができる。
【００８１】
例えば、ユーザ側状態データ管理部４３は、図６に例示するように、受信したデータに基づいて、「ＩＦ番号」、「ＯＮＵ番号」、「ＯＮＵ−ＭＡＣ」、「ＴＡ−ＭＡＣ」を取得し、これらを対応付けてユーザ側状態データ記憶部４５に記憶する。
【００８２】
図６に例示するユーザ側状態データ記憶部４５は、センタ側装置３が加入者側装置１と接続する「ＩＦ番号：１」であり、「ＯＮＵ番号：１」とする加入者側装置１について、加入者側装置１のＭＡＣアドレスが「ＯＮＵ−ＭＡＣ：ＡＡＡ」であり、これに接続する機器のＭＡＣアドレスが「ＴＡ−ＭＡＣ：ＢＢＢ」であることを管理する。
【００８３】
なお、上記の動作説明において、センタ側装置３は、ＵＩステータスＥｎａｂｌｅイベントが、ＵＩ−ＬＩＮＫアップしたのに、ＵＩ−ＬＩＮＫアップ通知があがらないケースも想定される。
【００８４】
そこで、センタ側装置３は、ＵＩ−ＬＩＮＫアップ又はＵＩ−ＬＩＮＫダウンからの回復以外の契機でも、ＵＮＩステータスＥｎａｂｌｅイベント通知するようにしてもよく、例えば、以下に示す契機でＵＮＩステータスＥｎａｂｌｅイベントを通知するようにしてもよい。
【００８５】
（１）Ｄ−ＯＮＵ  ＵＮＩ−ＬＩＮＫ  アップ
（２）Ｄ−ＯＮＵ  登録
（３）Ｄ−ＯＮＵ  交換
（４）Ｄ−ＯＮＵ  閉塞解除
（５）Ｄ−ＯＮＵ  ＬＯＯＰ２試験終了
（６）ＰＯＮ−ＬＩＮＫ  アップ
（７）Ｄｙｉｎｇ  Ｇａｓｐ  回復
（Ａ−２−２）ＶｏＩＰ−ＴＡ２の登録解除
図８は、管理サーバ４が加入者側装置１に接続するＶｏＩＰ−ＴＡ２のＭＡＣアドレスの登録を解除する処理を説明する説明図である。
【００８６】
ユーザ側において、加入者側装置１のユーザ側インタフェース部１１から、ＶｏＩＰ−ＴＡ２が取り外される（ステップＳ２０１）。
【００８７】
加入者側装置１において、ＶｏＩＰ−ＴＡ２が取り外されて接続ポートがリンクダウンすると、リンク状態通知部１４が、リンク状態を示す信号として、接続ポートのリンクダウンを示すＵＩ−ＬＩＮＫダウンをセンタ側装置３に通知する（ステップＳ２０２）。
【００８８】
センタ側装置３において、加入者側装置１からリンク状態を示す信号を受け取ると、ユーザ側状態監視部３４がＵＩ−ＬＩＮＫダウンであることを検知する。ユーザ側状態イベント通知部３５は、ＵＩ−ＬＩＮＫダウンの検知を契機に、状態イベント信号としてＵＩステータスＤｉｓａｂｌｅイベントを管理サーバ４に通知する（ステップＳ２０３）。なお、ＵＩステータスＤｉｓａｂｌｅイベントは、図７に例示するフォーマットの場合、「ステータス」に、ＵＩステータスＤｉｓａｂｌｅイベントであることが記載される。
【００８９】
管理サーバ４では、ユーザ側状態イベント解析部４２が受け取った状態イベント信号を解析する。そして、ユーザ側状態データ管理部４３は、ＵＩステータスＤｉｓａｂｌｅイベントであることを判断すると、ユーザ側状態データ記憶部４５から当該加入者側装置１に接続するＶｏＩＰ−ＴＡ２のＭＡＣアドレスの登録を解除する（ステップＳ２０４）。
【００９０】
例えば、ユーザ側状態データ管理部４３は、受け取ったＵＩステータスＤｉｓａｂｌｅイベントに含まれる「ＩＦ番号」、「ＯＮＵ番号」、「ＯＮＵ−ＭＡＣアドレス」に対応するデータを、ユーザ側状態データ記憶部４５から検索する。そして、ユーザ側状態データ管理部４３は、検索したデータから「ＶｏＩＰ−ＴＡ  ＭＡＣ」を削除（例えば、「ＮＵＬＬ」等）する。
【００９１】
これにより、管理サーバ４は、センタ側装置３に接続する加入者側装置１のＭＡＣアドレスは保持しながら、当該加入者側装置１の配下のＶｏＩＰ−ＴＡ２のＭＡＣアドレスの登録を解除する。すなわち、管理サーバ４は、ＵＩステータスＤｉｓａｂｌｅイベントの受信により、加入者側装置１に接続しているＶｏＩＰ−ＴＡ２の取り外しを管理することができる。
【００９２】
なお、加入者側装置１とＶｏＩＰ−ＴＡ２とが未接続にも関わらず、ＵＮＩ−ＬＩＮＫダウン通知がセンタ側装置３にあがらないケースが想定される。
【００９３】
そこで、センタ側装置３は、ＵＮｌ−ＬＩＮＫダウン以外の契機でも、ＵＮＩステータスＤｉｓａｂｌｅイベントを通知するようにしてもよく、例えば、以下に示す契機で、ＵＮｌステータスＤｉｓａｂｌｅイベントを通知するようにしてもよい。
【００９４】
１．Ｄ−ＯＮＵ  ＵＮＩ−ＬＩＮＫ  ダウン
２．ＰＯＮ−ＬＩＮＫ  ダウン
３．Ｄｙｉｎｇ  Ｇａｓｐ  発生
４．ＯＬＴ  ＩＦ部  リセット
５．ＯＬＴ  ＩＦ部  抜去
６．ＯＬＴ  ＩＦ部  固定故障
（Ａ−２−３）加入者側装置１及びＶｏＩＰ−ＴＡ２の登録解除
図９は、管理サーバ４が加入者側装置１及びＶｏＩＰ−ＴＡ２のＭＡＣアドレスの登録を解除する処理を説明する説明図である。
【００９５】
例えば、加入者側装置１の登録の削除や交換を行う場合、管理サーバ４のユーザ側状態データ記憶部４５に保持される加入者側装置１のＭＡＣアドレスは変更される可能性がある。そのため、このような場合、ユーザ側状態データ記憶部４５に保持される加入者側装置１及びＶｏＩＰ−ＴＡ２のＭＡＣアドレスをクリアにする必要がある。
【００９６】
センタ側装置３は、図示しない装置（例えば、システム管理装置等）を通じて、加入者側装置１の登録削除指示、加入者側装置１の交換指示又は閉塞設定等を受けたり（ステップＳ３０１）、又は、加入者側装置１との間のネットワーク断（例えば、ＰＯＮ断等）を検知したりすると（ステップＳ３０２）、ユーザ側状態イベント通知部３５は、ＵＩステータスｃｌｅａｒイベントを管理サーバ４に通知する（ステップＳ３０３）。
【００９７】
なお、ＵＩステータスｃｌｅａｒイベントは、図７に例示するフォーマットの場合、「ＯＮＵ−ＭＡＣ：ＮＵＬＬ」とし、「ステータス」に、ＵＩステータスｃｌｅａｒイベントであることが記載される。
【００９８】
管理サーバ４では、ユーザ側状態イベント解析部４２が受け取った状態イベント信号を解析する。そして、ユーザ側状態データ管理部４３は、ＵＩステータスｃｌｅａｒイベントであることを判断すると、ユーザ側状態データ記憶部４５から当該加入者側装置１及びＶｏＩＰ−ＴＡ２のＭＡＣアドレスの登録を解除する（ステップＳ３０４）。
【００９９】
例えば、ユーザ側状態データ管理部４３は、受け取ったＵＩステータスｃｌｅａｒイベントに含まれる「ＩＦ番号」、「ＯＮＵ番号」に対応するデータを、ユーザ側状態データ記憶部４５から検索する。そして、ユーザ側状態データ管理部４３は、検索したデータから「ＯＮＵ−ＭＡＣ」及び「ＶｏＩＰ−ＴＡ  ＭＡＣ」を削除（例えば、「ＮＵＬＬ」等）する。
【０１００】
これにより、管理サーバ４は、センタ側装置３に接続する加入者側装置１及びこの配下のＶｏＩＰ−ＴＡ２のＭＡＣアドレスの登録を解除する。すなわち、管理サーバ４は、ＵＩステータスｃｌｅａｒイベントの受信により、加入者側装置１及びＶｏＩＰ−ＴＡ２の登録をクリアにすることができる。
【０１０１】
（Ａ−３）実施形態の効果
以上のように、この実施形態によれば、現行のシステムを大幅に変更することなく、加入者側装置が、配下のネットワーク機器の固有識別情報を上位管理サーバに通知し、管理サーバが、これを管理することができるので、管理サーバがネットワーク機器の位置を特定することができる。
【０１０２】
これにより、例えば、ユーザが、別の地域でＶｏＩＰ−ＴＡを使用しても、０ＡＢ〜Ｊ電話サービスの提供を受けることができる。
【０１０３】
すなわち、例えば、同じセンタ側装置に接続する加入者側装置が、横浜、東京、…に配置されているとする。この場合に、ユーザが横浜で使用してたＶｏＩＰ−ＴＡを、東京の加入者側装置に接続して使用したとする。従来、センタ側は、加入者側装置の接続状態を管理していないので、加入者側装置の変更をしても、その変更を認識できず、移動前の状態でサービスを提供していた。しかし、この実施形態によれば、管理サーバが、加入者側装置に接続する機器の位置を特定できる。例えば、管理サーバは、接続するネットワーク機器の接続や取り外し等を認識でき、それにより電話番号の管理もその都度行うことができるので、正しく０ＡＢ〜Ｊ電話サービスを提供することができる。
【０１０４】
（Ｂ）他の実施形態
（Ｂ−１）上述した実施形態では、本発明は、センタ側が加入者側装置に接続するネットワーク機器の位置を特定することができるので、０ＡＢ〜Ｊ電話サービスシステムに、本発明を適用する場合を例示して説明した。しかし、０ＡＢ〜Ｊ電話サービスシステム以外のシステムにも、本発明を広く適用することができる。例えば、悪意のある端末（例えばウイルス感染をしたＰＣで好ましくないデータをネットワークに垂れ流してしまうなど）の位置を特定する場合のシステムにも適用することができる。
【０１０５】
（Ｂ−２）上述した実施形態で説明した、加入者側装置、センタ側装置及び管理サーバにおける各種処理は、いわゆるソフトウェア処理により実現することができる。例えば、加入者側装置、センタ側装置及び管理サーバのハードウェイ構成として、ＣＰＵ、ＲＡＭ、ＲＯＭ、ＥＥＰＲＯＭ等を有して構成され、ＣＰＵが、ＲＯＭに格納される処理プログラムを読み出し、処理に必要なデータを用いて処理プログラムを実行することにより実現することができる。
【符号の説明】
【０１０６】
１…加入者側装置、１１…ユーザ側インタフェース部、１２…転送処理部、
１３…ＭＡＣアドレス管理部、１４…リンク状態通知部、１５…光−電気変換部、
１６…センタ側インタフェース部、
３…センタ側装置、３１…加入者側インタフェース部、３２…光−電気変換部、
３３…転送処理部、３４…ユーザ側状態監視部、３５…ユーザ側状態イベント通知部、
３６…サーバ側インタフェース部、３７…ＮＴ側インタフェース部、
４…管理サーバ、４１…センタ側インタフェース部、４２…ユーザ側状態イベント解析部、
４３…ユーザ側状態データ取得部、４４…ユーザ側状態データ管理部、
４５…ユーザ側状態データ記憶部、
２…ＶｏＩＰ−ＴＡ、５…合分波器、６…ＩＰ電話機、１０…通信システム。
【図１】
2011259063.tif 000003
【図２】
2011259063.tif 000004
【図３】
2011259063.tif 000005
【図４】
2011259063.tif 000006
【図５】
2011259063.tif 000007
【図６】
2011259063.tif 000008
【図７】
2011259063.tif 000009
【図８】
2011259063.tif 000010
【図９】
2011259063.tif 000011